(57)【要約】      （修正有）【課題】差分伝送方式において、差分データの受信が必ずしも十分ではない場合も想定し、ユーザの利便性を向上させる方法を提供する。【解決手段】電子機器２０は、第１の手段で送信された第１の映像を受信する映像受信部を備える。また、第２の手段で送信された、分割された差分データ、およびこの分割された差分データの分割情報を受信する差分データ受信部を備える。また、前記分割情報を用い、受信できた差分データを検出し、前記受信できた差分データを前記第１の映像に適用し、前記第１の映像より解像度が高い第２の映像を生成する映像生成部を備える。【選択図】図１
2014146936.tif 000002
【特許請求の範囲】
【請求項１】
第１の手段で送信された第１の映像を受信する映像受信部と、
第２の手段で送信された、分割された差分データ、およびこの分割された差分データの分割情報を受信する差分データ受信部と、
前記分割情報を用い、受信できた差分データを検出し、前記受信できた差分データを前記第１の映像に適用し、前記第１の映像より解像度が高い第２の映像を生成する映像生成部と、を備える電子機器。
【請求項２】
前記受信できた差分データは、前記分割送信された差分データの一部である請求項１に記載の電子機器。
【請求項３】
前記受信できた差分データを前記第１の映像をアップコンバートした映像に適用する請求項１または２に記載の電子機器。
【請求項４】
前記生成された第２の映像を出力する出力部を備える請求項１乃至３のいずれかに記載の電子機器。
【請求項５】
前記受信できた差分データの適用を指定可能な指定部を備える請求項１乃至４のいずれかに記載の電子機器。
【請求項６】
前記差分データの適用が設定されている場合に、前記受信できた差分データが前記第１の映像に適用される請求項１乃至５のいずれかに記載の電子機器。
【請求項７】
前記差分データの適用が設定されていない場合は、前記第１の映像、または、前記第１の映像をアップコンバートした映像が出力される請求項１乃至６のいずれかに記載の電子機器。
【請求項８】
第１の手段で送信された第１の映像に適用され、前記第１の映像より解像度が高い第２の映像の作成に用いられる差分データを分割する差分データ分割部と、
前記分割された差分データ、およびこの分割された差分データの分割情報を第２の手段で送信する出力部を備える差分データ出力装置。
【請求項９】
第１の手段で送信された第１の映像を受信するステップと、
第２の手段で送信された、分割された差分データ、およびこの分割された差分データの分割情報を受信するステップと、
前記分割情報を用い、受信できた差分データを検出し、前記受信できた差分データを前記第１の映像に適用し、前記第１の映像より解像度が高い第２の映像を生成するステップと、を備え、電子機器を制御する電子機器の制御方法。
【請求項１０】
第１の手段で送信された第１の映像に適用され、前記第１の映像より解像度が高い第２の映像の作成に用いられる差分データを分割するステップと、
前記分割された差分データ、およびこの分割された差分データの分割情報を第２の手段で送信するステップを備え、差分データ出力装置を制御する差分データ出力装置の制御方法。
【請求項１１】
第１の手段で送信された第１の映像を受信するステップと、
第２の手段で送信された、分割された差分データ、およびこの分割された差分データの分割情報を受信するステップと、
前記分割情報を用い、受信できた差分データを検出し、前記受信できた差分データを前記第１の映像に適用し、前記第１の映像より解像度が高い第２の映像を生成するステップと、を備え、電子機器を制御する電子機器の制御プログラム。
【請求項１２】
第１の手段で送信された第１の映像に適用され、前記第１の映像より解像度が高い第２の映像の作成に用いられる差分データを分割するステップと、
前記分割された差分データ、およびこの分割された差分データの分割情報を第２の手段で送信するステップを備え、差分データ出力装置を制御する差分データ出力装置の制御プログラム。
【発明の詳細な説明】
【技術分野】
【０００１】
本発明の実施形態は、  電子機器、差分データ出力装置、電子機器の制御方法、差分データ出力装置の制御方法、電子機器の制御プログラム、差分データ出力装置の制御プログラムに関する。
【背景技術】
【０００２】
近年、例えば、第１伝送経路（地上波デジタル放送等）で伝送された第1解像度の映像（例えば、「２ｋ１ｋ」）に、第２伝送経路（インターネットやＢＳデジタル放送等）で伝送された差分データを組み合わせ、第1解像度の映像より解像度が高い第２解像度の映像（例えば、「４ｋ２ｋ」）を表示する方式が提案されている（差分伝送方式）。
【０００３】
ここで、差分データとは、例えば、上記第1解像度の映像と、上記第２解像度の映像との差分情報である。
【０００４】
また、ここで、「２ｋ１ｋ」とは、ディスプレイの解像度で、いわゆるフルＨＤ相当のサイズを示す表現である。「２ｋ１ｋ」の「ｋ」はキロを指す。フルＨＤの解像度は１９２０×１０８０で、概算で２０００×１０００、すなわち「２ｋ１ｋ」という表記になっている。
【０００５】
また、「４ｋ２ｋ」とは、４０００×２０００前後の画面解像度を持つ映像フォーマットの総称である。「４ｋ２ｋ」は、例えば、デジタルシネマの標準規格であるＤＣＩで定められている４Ｋ（４０９６×２１６０）や、ＦＨＤ（フルＨＤ：１９２０×１０８０)の４倍の画素数を持つＱＦＨＤ(クアッド・フルＨＤ：３８４０×２１６０等を指す。
【０００６】
しかし、上記の場合、第1解像度の映像の伝送経路（第１伝送経路（地上波デジタル放送等））と差分データの伝送経路（第２伝送経路（インターネットやＢＳデジタル放送等））は異なっている。
【０００７】
このため、第1解像度の映像が良好に受信できても、例えば、差分伝送方式において、第1解像度の映像に適用するには、差分データの受信が十分ではないことが起こりえる。例えば、決まったタイミングまでに差分データが受信しきれない場合等が考えられる。
【０００８】
また、差分データのデータ量が比較的大きい場合は、より、この問題が顕著になりやすい。
【０００９】
このような場合は、ユーザにとって煩雑であり、不便である。
【００１０】
このため、例えば、差分伝送方式において、差分データの受信が必ずしも十分ではない場合も想定し、ユーザの利便性を向上させることが課題になっていた。
【先行技術文献】
【特許文献】
【００１１】
【特許文献１】ＷＯ２００９／１４７７９５号公報
【特許文献２】特開２０１０−１１１５４号公報
【特許文献３】特開２００３−３０４５０６号公報
【発明の概要】
【発明が解決しようとする課題】
【００１２】
例えば、差分伝送方式において、差分データの受信が必ずしも十分ではない場合も想定し、ユーザの利便性を向上させることが課題になっていた。
【課題を解決するための手段】
【００１３】
実施形態の電子機器は、第１の手段で送信された第１の映像を受信する映像受信部を備える。
【００１４】
また、第２の手段で送信された、分割された差分データ、およびこの分割された差分データの分割情報を受信する差分データ受信部を備える。
【００１５】
また、前記分割情報を用い、受信できた差分データを検出し、前記受信できた差分データを前記第１の映像に適用し、前記第１の映像より解像度が高い第２の映像を生成する映像生成部を備える。
【図面の簡単な説明】
【００１６】
【図１】実施形態に係わる差分配信システムを示す図。
【図２】実施形態に係わる差分配信システムにおいて、分割差分データの作成例を示す図。
【図３】実施形態に係わる差分配信システムにおいて、分割差分データが受信されるようすを示す図。
【図４】実施形態に係わる差分配信システムにおいて、例えば、２つの分割差分データを受信したときの、フレームバッファに存在するピクセルデータを示す図。
【図５】実施形態に係わる差分配信システムにおける送信側、および、受信側の動作の一例を示すフローチャート。
【図６】実施形態に係わる差分配信システムにおける受信側における、受信できた差分データの適用を指定可能な指定部を示す図。
【図７】実施形態に係わる差分配信システムにおける、送信側の動作を示すフローチャート。
【図８】実施形態に係わる差分配信システムにおける、受信側の動作を示すフローチャート。
【発明を実施するための形態】
【００１７】
以下、図面を参照し、実施の形態を説明する。
【００１８】
図１は、実施形態に係わる差分配信システムを示す図である。
【００１９】
上記のように、例えば、差分伝送方式において、第１伝送経路（地上波デジタル放送等）で伝送された第1解像度の映像（例えば、「２ｋ１ｋ」）に、第２伝送経路（インターネットやＢＳデジタル放送等）で伝送された差分データを組み合わせ、第1解像度の映像より解像度が高い第２解像度の映像（例えば、「４ｋ２ｋ」）を表示する方式が提案されている。
【００２０】
そして、ここでは、差分データとは、例えば、上記第1解像度の映像と、上記第２解像度の映像との差分情報である。
【００２１】
この実施形態において、差分データは、送信側（例えば、放送局やサーバ等）１０から送信され、受信側（電子機器）２０で受信される。
【００２２】
そして、送信側（例えば、放送局やサーバ等）１０は、第１の手段（例えば、地上波デジタル放送等）で送信された第１の映像（放送映像等、２ｋ１ｋ映像）に適用され、前記第１の映像より解像度が高い第２の映像（差分データが適用された映像、４ｋ２ｋ映像）の作成に用いられる差分データを分割する差分データ分割部を備えている。
【００２３】
また、前記分割された差分データ、およびこの分割された差分データの分割情報を第２の手段（インターネットやＢＳ放送等）で送信する出力部を備えている。
【００２４】
また、受信側（電子機器、テレビ等）２０は、第１の手段（地上波デジタル放送等）で送信された第１の映像（放送映像等、２ｋ１ｋ映像）を受信する映像受信部を備えている。
【００２５】
また、第２の手段（インターネット、ＢＳ放送等）で送信された、分割された差分データ、およびこの分割された差分データの分割情報を受信する差分データ受信部を備えている。
【００２６】
また、前記分割情報を用い、受信できた差分データを検出し、前記受信できた差分データを第１の映像（放送映像等、２ｋ１ｋ映像）に適用し、第１の映像（放送映像等、２ｋ１ｋ映像）より解像度が高い第２の映像（差分データが適用された映像、４ｋ２ｋ映像）を生成する映像生成部を備えている。
【００２７】
図１に示すように、ここでは、差分配信システムの送信側（例えば、放送局やサーバ等）１０に、オリジナル４Ｋ２Ｋ映像１１が入力される。
【００２８】
続いて、このオリジナル４Ｋ２Ｋ映像１１がダウンコンバートされ、２Ｋ１Ｋ映像１２が作成される。
【００２９】
この２Ｋ１Ｋ映像１２は、例えば、既存のエンコード方式でエンコードされ、例えば、第１の手段（地上波デジタル放送等）でブロードキャスト（放送）される。
【００３０】
この２Ｋ１Ｋ映像１２は、必ずしも、差分伝送方式（４Ｋ２Ｋ差分配信システム）に適応していなくとも、受信側（電子機器）２０で受信し、再生することが可能である。
【００３１】
すなわち、受信側（電子機器）２０では、２Ｋ１Ｋ映像１２を受信し、既存のデコード方式を用いてデコード処理を行い、２Ｋ１Ｋ映像１５を得ることが可能である。
【００３２】
さらに、受信側（電子機器）２０が、差分伝送方式（４Ｋ２Ｋ差分配信システム）に適応していれば、この２Ｋ１Ｋ映像１５をアップコンバート処理し、アップコンバートされた４Ｋ２Ｋ映像（アップコンバート４Ｋ２Ｋ映像）１６を得ることができる。
【００３３】
また、一方、送信側（例えば、放送局やサーバ等）１０では、例えば、２Ｋ１Ｋ映像１２を再度アップコンバート処理し、アップコンバートされた４Ｋ２Ｋ映像（アップコンバート４Ｋ２Ｋ映像）１３を得る。
【００３４】
なお、上記ダウンコンバートは不可逆である。このため、アップコンバートされた４Ｋ２Ｋ映像（アップコンバート４Ｋ２Ｋ映像）１３は、オリジナル４Ｋ２Ｋ映像１１とは差分を持つ。
【００３５】
ここでは、このオリジナル４Ｋ２Ｋ映像１１とアップコンバートされた４Ｋ２Ｋ映像（アップコンバート４Ｋ２Ｋ映像）１３の差分を求めることにより、４Ｋ２Ｋ差分データ（差分データ）１４を得ることができる。
【００３６】
そして、この４Ｋ２Ｋ差分データ（差分データ）１４は、エンコード処理され、例えば、第２の手段（インターネット、ＢＳ放送等）で、受信側（電子機器、テレビ等）２０に向けて送信される。
【００３７】
受信側（電子機器、テレビ等）２０では、この４Ｋ２Ｋ差分データ（差分データ）１４を受信し、デコード処理を行い、４Ｋ２Ｋ差分データを得る。
【００３８】
ここでは、この４Ｋ２Ｋ差分データを受信側（電子機器、テレビ等）２０でアップコンバートされた４Ｋ２Ｋ映像（アップコンバート４Ｋ２Ｋ映像）１６に適用（この４Ｋ２Ｋ差分データと、受信側（電子機器、テレビ等）２０でアップコンバートされた４Ｋ２Ｋ映像（アップコンバート４Ｋ２Ｋ映像）１６を加算）することにより、差分データが適用された４Ｋ２Ｋ映像（差分データ適用４Ｋ２Ｋ映像）１７を得ることができる。
【００３９】
この差分データが適用された４Ｋ２Ｋ映像（差分データ適用４Ｋ２Ｋ映像）１７は、例えば、送信側（例えば、放送局やサーバ等）１０のダウンコンバート処理によって失われた情報を、４Ｋ２Ｋ差分データ（差分データ）１４で補間している。このため、よりオリジナルに近い映像品質を得られる。
【００４０】
しかし、インターネット等の遅延が生じやすい経路（第２の手段）で、この４Ｋ２Ｋ差分データ（差分データ）１４を送信する場合等は、例えば、予め決められたタイミングまでに差分データが受信しきれないことが予想される。
【００４１】
そこでこの実施形態においては、この４Ｋ２Ｋ差分データ（差分データ）１４を分割してエンコードして送信することで、受信側（電子機器、テレビ等）２０で、必ずしも全ての４Ｋ２Ｋ差分データ（差分データ）１４を受信しきれなかった場合でも、部分的（一部）に４Ｋ２Ｋ差分データ（差分データ）１４を適用し、品質の良い４Ｋ２Ｋ映像を得、ユーザの利便性を向上させる。
【００４２】
図２は、実施形態に係わる差分配信システムにおいて、分割差分データの作成例を示す図である。
【００４３】
ここでは、送信側（例えば、放送局やサーバ等）１０において、４Ｋ２Ｋ差分データ（差分データ）１４を、例えば、４分割して、それぞれをエンコード処理して送信し、受信側（電子機器、テレビ等）２０で、分割された４Ｋ２Ｋ差分データを使用して、差分データが適用された４Ｋ２Ｋ映像を得る。
【００４４】
送信側（例えば、放送局やサーバ等）１０では、例えば、以下のように、差分データの分割、エンコード、送信を行う。
【００４５】
まず、例えば、４Ｋ２Ｋ差分データ（差分データ）１４（図２、２１ａ）を、垂直方向の奇数ピクセル、および、垂直方向の偶数ピクセルで分割する（２１）。
【００４６】
続いて、垂直方向奇数ピクセル（２２ａ）、垂直方向偶数ピクセル（２２ｂ）を、それぞれ、水平方向奇数ピクセル、水平方向偶数ピクセルに分割する（２２）
続いて、上記で４分割されたピクセル（２３ａ、２３ｂ、２３ｃ、２３ｄ）、すなわち、それぞれの差分データをエンコードする（２３）。
【００４７】
ここでは、これらの差分データの分割処理に係る情報を、「分割情報」と呼ぶ。
【００４８】
続いて、ここでの「分割情報」すなわち、差分データの分割パターンに係る情報を、受信側（電子機器、テレビ等）２０に向けて出力（通知）する。
【００４９】
図３は、実施形態に係わる差分配信システムにおいて、分割差分データが受信されるようすを示す図である。
【００５０】
ここでは、受信側（電子機器、テレビ等）２０は、例えば、以下のように、差分データの受信、デコード、差分データ適用４Ｋ２Ｋ映像の生成を行う。
【００５１】
受信側（電子機器、テレビ等）２０は、上記のようにエンコード処理され、送信された分割差分データを受信する。
【００５２】
続いて、分割差分データの分割パターンを検出する。
【００５３】
続いて、分割差分データ１（「４Ｋ２Ｋ差分データ１」３４）、分割差分データ２（「４Ｋ２Ｋ差分データ２」３３）を受信し、受信を完了する。
【００５４】
しかし、ここでは、ネットワークの遅延が発生し、既定のタイミングまでに、分割差分データ３（「４Ｋ２Ｋ差分データ３」３２）、分割差分データ４（「４Ｋ２Ｋ差分データ４」３１）を受信できなかったとする。
【００５５】
すなわち、ここでは、例えば、受信できたデータは「４Ｋ２Ｋ差分データ１」３４、「４Ｋ２Ｋ差分データ２」３３である。また、ネットワーク遅延等により、受信できないデータは、「４Ｋ２Ｋ差分データ３」３２、「４Ｋ２Ｋ差分データ４」３１である。
【００５６】
そして、受信側（電子機器、テレビ等）２０は、「４Ｋ２Ｋ差分データ１」３４、「４Ｋ２Ｋ差分データ２」３３を、順次デコード処理し、例えば、フレームバッファ３５に格納（記憶）する。
【００５７】
このとき、受信側（電子機器、テレビ等）２０は、上記のように、送信側（例えば、放送局やサーバ等）１０から「分割情報」が送信されている。このため、例えば、送信側（例えば、放送局やサーバ等）１０がどのようなパターンでピクセルを分割しているかを、受信側（電子機器、テレビ等）２０は知っている。
【００５８】
図４は、実施形態に係わる差分配信システムにおいて、例えば、２つの分割差分データを受信したときの、フレームバッファに存在するピクセルデータを示す図である。
【００５９】
ここでは、フレームバッファ３５に格納（記憶）されたピクセルデータは、図４に示すようになる。
【００６０】
この実施形態においては、このようなデータを、アップコンバート４Ｋ２Ｋ映像１６に加算して、差分データ適用４Ｋ２Ｋ映像１７が得られる（図１）。
【００６１】
図５は、実施形態に係わる差分配信システムにおける送信側、および、受信側の動作の一例を示すフローチャートである。
【００６２】
図５（ａ）は、実施形態に係わる差分配信システムにおける送信側（放送局、サーバ等）の動作の一例を示すフローチャートである。
【００６３】
ステップＳ１００は、開始ステップである。続いて、ステップＳ１０１に進む。
【００６４】
ステップＳ１０１は、上記のように、４Ｋ２Ｋ差分データ１４を垂直方向ピクセルで分割するステップである。続いて、ステップＳ１０２に進む。
【００６５】
ステップＳ１０２は、４Ｋ２Ｋ差分データを水平方向ピクセルで分割するステップである。続いて、ステップＳ１０３に進む。
【００６６】
ステップＳ１０３は、分割した差分データを、エンコード処理するステップである。エンコード処理は、例えば、ＨＥＶＣ（Ｈｉｇｈ Ｅｆｆｉｃｉｅｎｃｙ Ｖｉｄｅｏ Ｃｏｄｉｎｇ）等で行われる。
【００６７】
ＨＥＶＣとは、Ｈ.２６４/ＭＰＥＧ−４ ＡＶＣの後続フォーマットとしてＩＳＯ/ＩＥＣのＭＰＥＧとＩＴＵ−ＴのＶＣＥＧによる研究開発チームＪＣＴ−ＶＣ （Ｊｏｉｎｔ Ｃｏｌｌａｂｏｒａｔｉｖｅ Ｔｅａｍ ｏｎ Ｖｉｄｅｏ Ｃｏｄｉｎｇ）によって提案されている動画ファイルフォーマットである。
【００６８】
続いて、ステップＳ１０４に進む。
【００６９】
ステップＳ１０４は、「分割情報」、例えば、差分データの分割パターンを受信側（電子機器、テレビ等）２０に通知するステップである。続いて、ステップＳ１０５に進む。
【００７０】
ステップＳ１０５は、エンコードした差分データを、受信側（電子機器、テレビ等）２０に送信するステップである。
【００７１】
この実施形態においては、例えば、エンコードした差分データは、適当な順番で送信して良い。例えば、図２に示す例では、４Ｋ２Ｋ差分データ１（２４）、４Ｋ２Ｋ差分データ２（２７）、４Ｋ２Ｋ差分データ３（２５）、４Ｋ２Ｋ差分データ４（２６）の順番で送信している。
【００７２】
続いて、ステップＳ１０６に進む。
【００７３】
ステップＳ１０６は、終了ステップであり、ここでの処理は終了する。
【００７４】
図５（ｂ）は、実施形態に係わる差分配信システムにおける受信側（電子機器）の動作の一例を示すフローチャートである。
【００７５】
ステップＳ２００は、開始ステップである。続いて、ステップＳ２０１に進む。
【００７６】
ステップＳ２０１は、エンコードされた分割差分データを受信するステップである。続いて、ステップＳ２０２に進む。
【００７７】
ステップＳ２０２は、「分割情報」、例えば、分割差分データの分割パターン、を検出するステップである。続いて、ステップＳ２０３に進む。
【００７８】
ステップＳ２０３は、受信した分割差分データをデコード処理するステップである。続いて、ステップＳ２０４に進む。
【００７９】
ステップＳ２０４は、デコードして得られたピクセルデータをフレームバッファ３５に記憶する（書き込む）ステップである。続いて、ステップＳ２０５に進む。
【００８０】
ステップＳ２０５は、差分データが適用された４Ｋ２Ｋ映像を作成するステップである。続いて、ステップＳ２０６に進む。
【００８１】
ステップＳ２０６は、全ての差分データが受信されたか（差分データが完全に受信されたか）を検出するステップである。全ての差分データが受信された（差分データが完全に受信された）と検出される場合は、ステップＳ２０７に進む（Ｙｅｓ）。
【００８２】
全ての差分データは受信されない（差分データが完全には受信されない）と検出される場合は、ステップＳ２０８に進む（Ｎｏ）。
【００８３】
ステップＳ２０７は、例えば、表示される映像が、完全な差分適用４Ｋ２Ｋ映像ではないことを、ユーザに通知するステップである。続いて、ステップＳ２０８に進む。
【００８４】
ステップＳ２０８は、受信できた差分データが適用された４Ｋ２Ｋ映像を出力するステップである。続いて、ステップＳ２０９に進む。
【００８５】
ステップＳ２０９は、終了ステップであり、ここでの処理は終了する。
【００８６】
図６は、実施形態に係わる差分配信システムにおける受信側における、受信できた差分データの適用を指定可能な指定部を示す図である。
【００８７】
ここでは、例えば、映像表示装置等の電子機器２０の表示画面８に、「差分データの適用（高解像度映像表示）を指定しますか？」と表示される。
【００８８】
ユーザは、例えば、リモコン６１等を操作し、差分データの適用（高解像度映像表示）を指定する場合は、「Ｙｅｓ」を指定し、差分データの適用（高解像度映像表示）を指定しない場合は、「Ｎｏ」を指定する。
【００８９】
ここでは、例えば、「Ｙｅｓ」６３が指定されている。
【００９０】
なお、この実施形態においては、電子機器は、テレビに限られることはなく、パーソナルコンピュータ（ＰＣ）、タブレットＰＣ、スマートフォン等にも適用可能である。
【００９１】
図７は、実施形態に係わる差分配信システムにおける、送信側の動作を示すフローチャートである。
【００９２】
ステップＳ３００は、ここでの開始ステップである。続いて、ステップＳ３０１に進む。
【００９３】
ステップＳ３０１は、差分データ（地上波デジタル放送等で送信された第１の映像（２ｋ１ｋ映像）の映像データと組み合わせ、第１の映像（２ｋ１ｋ映像）より解像度が高い第２の映像（４ｋ２ｋ映像）作成に用いられる）を分割処理するステップである。
【００９４】
ここでは、差分データの「分割情報」は、例えば、ピクセル単位で、任意のパターンに分割された情報を含んでいる。続いて、ステップＳ３０２に進む。
【００９５】
ステップＳ３０２は、分割された差分データをエンコード処理し、インターネットやＢＳ放送等で、受信側２０に向けて分割して送信（分割送信）するステップである。続いて、ステップＳ３０３に進む。
【００９６】
ステップＳ３０３は、例えば、差分データの「分割情報」（分割パターン等）を、インターネットやＢＳ放送等で、受信側２０に向けて送信（通知）するステップである。続いて、ステップＳ３０４に進む。
【００９７】
ステップＳ３０４は、終了ステップであり、ここでの処理は終了する。
【００９８】
図８は、実施形態に係わる差分配信システムにおける、受信側の動作を示すフローチャートである。
【００９９】
ステップＳ４００は、ここでの開始ステップである。続いて、ステップＳ４０１に進む。
【０１００】
ステップＳ４０１は、地上波デジタル放送等で送信された第１の映像（２ｋ１ｋ映像）の映像データを受信するステップである。続いて、ステップＳ４０２に進む。
【０１０１】
ステップＳ４０２は、例えば、上記のように、電子機器２０に、差分データの適用が設定されているかを検出するステップである。差分データの適用が設定されていると検出される場合は、ステップＳ４０３に進む（Ｙｅｓ）。差分データの適用が設定されていると検出されない場合は、ステップＳ４０９に進む（Ｎｏ）。
【０１０２】
ステップＳ４０３は、例えば、インターネットやＢＳ放送等で送信（通知）された、差分データの「分割情報」（分割パターン等）を取得するステップである。続いて、ステップＳ４０４に進む。
【０１０３】
ステップＳ４０４は、インターネットやＢＳ放送等で分割送信された、差分データを受信するステップである。続いて、ステップＳ４０５に進む。
【０１０４】
ステップＳ４０５は、受信した差分データをデコード処理し、フレームバッファ３５に記憶するステップである。続いて、ステップＳ４０６に進む。
【０１０５】
ステップＳ４０６は、取得された差分データの「分割情報」（分割パターン等）を用い、受信できた差分データを検出するステップである。続いて、ステップＳ４０７に進む。
【０１０６】
ステップＳ４０７は、受信できた差分データを、第１の映像（２ｋ１ｋ映像）を４ｋ２ｋ映像にアップコンバートした映像に適用し、解像度が高い第２の映像（４ｋ２ｋ映像）を生成するステップである。続いて、ステップＳ４０８に進む。
【０１０７】
ステップＳ４０８は、受信できた差分データが適用された、解像度が高い第２の映像（４ｋ２ｋ映像）を、映像表示部８に表示出力するステップである。続いて、ステップＳ４１０に進む。
【０１０８】
ステップＳ４０９は、第１の映像（２ｋ１ｋ映像）または第１の映像をアップコンバートした映像（４ｋ２ｋ映像）を、映像表示部８に表示出力するステップである。続いて、ステップＳ４１０に進む。
【０１０９】
ステップＳ４１０は、終了ステップであり、ここでの処理は終了する。
【０１１０】
すなわち、差分伝送方式において、一般に、受信側（電子機器、テレビ等）２０で、差分データが既定のタイミングまでに、一部でも受信できない場合は、この差分データは使用することができない。
【０１１１】
しかし、上記のように構成することにより、この実施形態においては、分割した差分データの一部を受信することができれば、第２の映像の生成に、部分的に差分データを適用することが可能になる。このため、４Ｋ２Ｋ映像の品質を向上させることが可能である。
【０１１２】
すなわち、この実施形態においては、差分データは、送信側（例えば、放送局やサーバ等）１０から送信され、受信側（電子機器）２０で受信される。
【０１１３】
そして、送信側（例えば、放送局やサーバ等）１０は、第１の手段（例えば、地上波デジタル放送等）で送信された第１の映像（放送映像等、２ｋ１ｋ映像）に適用され、前記第１の映像より解像度が高い第２の映像（差分データが適用された映像、４ｋ２ｋ映像）の作成に用いられる差分データを分割する差分データ分割部を備えている。
【０１１４】
また、前記分割された差分データ、およびこの分割された差分データの分割情報を第２の手段（インターネットやＢＳ放送等）で送信する出力部を備えている。
【０１１５】
また、受信側（電子機器、テレビ等）２０は、第１の手段（地上波デジタル放送等）で送信された第１の映像（放送映像等、２ｋ１ｋ映像）を受信する映像受信部を備えている。
【０１１６】
また、第２の手段（インターネット、ＢＳ放送等）で送信された、分割された差分データ、およびこの分割された差分データの分割情報を受信する差分データ受信部を備えている。
【０１１７】
また、前記分割情報を用い、受信できた差分データを検出し、前記受信できた差分データを第１の映像（放送映像等、２ｋ１ｋ映像）に適用し、第１の映像（放送映像等、２ｋ１ｋ映像）より解像度が高い第２の映像（差分データが適用された映像、４ｋ２ｋ映像）を生成する映像生成部を備えている。
【０１１８】
また、前記受信できた差分データは、前記分割送信された差分データの一部であっても良い。
【０１１９】
また、前記受信できた差分データを前記第１の映像をアップコンバートした映像に適用しても良い。
【０１２０】
また、電子機器２０は、前記生成された第２の映像を出力する出力部を備えるように構成しても良い。
【０１２１】
また、電子機器２０は、前記受信できた差分データの適用を指定可能な指定部を備えるように構成しても良い。
【０１２２】
また、電子機器２０は、前記差分データの適用が設定されている場合に、前記受信できた差分データが前記第１の映像に適用されるように構成しても良い。
【０１２３】
また、電子機器２０は、前記差分データの適用が設定されていない場合は、前記第１の映像、または、前記第１の映像をアップコンバートした映像が出力されるように構成しても良い。
【０１２４】
また、この実施形態においては、差分データの分割は、どのようなパターンで行っても良い。
【０１２５】
また、差分データは、任意の方法でエンコード、デコード等を行っても良い。
【０１２６】
また、差分データの分割パターンは、例えば、差分データにメタデータで埋め込んだり、ネットワーク上のサーバに登録するようにしたりして、受信側に通知するように構成しても良い。
【０１２７】
また、分割した差分データの送信順番は任意で良い。
【０１２８】
また、分割差分データが、例えば、一部しか受信できなかった場合は、それをユーザに通知するような手段を持たせても良い。
【０１２９】
また、受信側は、差分データが既定のタイミングまでに送られてこなかった場合、送信側に対して次のフレームの差分データのリクエストを出しても良い。
【０１３０】
また、受信側は、差分データが既定のタイミングまでに送られてこなかった場合、送信側にそれを通知しても良い。
【０１３１】
また、送信側は、差分データが既定のタイミングまでに送れなかったことを通知されると、次の分割差分データの送信を始めても良い。
【０１３２】
また、完全な差分適用４Ｋ２Ｋ映像でない場合のユーザへの通知手段は任意の方法で良い。例えば、映像にステータス情報を重畳する、ＬＥＤランプで示す等で構成しても良い。
【０１３３】
これにより、例えば、差分データを全て受信することができなくても、分割された差分データを一部でも受信できれば、部分的に差分データを適用することにより、より良い品質の４Ｋ２Ｋ映像を得ることが可能になる。
【０１３４】
また、上記説明においては、差分データを放送システムに適用する例を用いたが、この実施形態においては、差分データを、Ｂｌｕ−ｒａｙ、ＤＶＤ、ＳＤカード、ＵＳＢメモリ等の記憶媒体中のコンテンツに対しても適用することも可能である。
【０１３５】
なお、差分データを記憶媒体中のコンテンツに対しても適用する場合は、放送と異なり、必ずしもリアルタイム性が要求されないため、上記のような分割転送に代えて、例えば、「差分データを全てダウンロードし終わってからコンテンツを再生する」場合等に適用しても良い。
【０１３６】
しかし、ユーザがすぐにコンテンツを再生したい場合等は、上記のように、分割した差分データを記憶媒体中のコンテンツに対しても適用することで、ユーザの利便性が向上する。
【０１３７】
上記のように構成することによって、この実施形態においては、例えば、差分伝送方式において、差分データの受信が必ずしも十分ではない場合も想定し、ユーザの利便性を向上させることが可能になる。
【０１３８】
なお、上記実施形態の制御処理の手順は全てソフトウェアによって実行することが可能である。このため、制御処理の手順を実行するプログラムを格納したコンピュータ読み取り可能な記憶媒体を通じてこのプログラムを通常のコンピュータにインストールして実行するだけで、上記実施形態と同様の効果を容易に実現することができる。
【０１３９】
なお、上記実施形態は、記述そのものに限定されるものではなく、実施段階では、その趣旨を逸脱しない範囲で、構成要素を種々変形して具体化することが可能である。
【０１４０】
また、上記実施形態に開示されている複数の構成要素の適宜な組み合せにより種々の発明を形成できる。
【０１４１】
例えば、実施形態に示される全構成要素から幾つかの構成要素を削除しても良い。更に、異なる実施形態に亘る構成要素を適宜組み合せても良い。
【符号の説明】
【０１４２】
１０…送信側（放送局、サーバ等）、１１…オリジナル４ｋ２ｋ映像、１２…２ｋ１ｋ映像、１３…アップコンバート４ｋ２ｋ映像、１４…４ｋ２ｋ差分データ、１５…２ｋ１ｋ映像、１６…アップコンバート４ｋ２ｋ映像、１７…差分データ適用４ｋ２ｋ映像。
【図１】
2014146936.tif 000003
【図２】
2014146936.tif 000004
【図３】
2014146936.tif 000005
【図４】
2014146936.tif 000006
【図５】
2014146936.tif 000007
【図６】
2014146936.tif 000008
【図７】
2014146936.tif 000009
【図８】
2014146936.tif 000010